(57)【要約】      （修正有）【課題】不使用時には表示面を外部から適切に保護し、割れや傷の発生を防ぐとともに、使用時にはデッドスペースの発生を効率的に抑制し、有効画面比率の向上を期待できるカバー装置とこれを用いたカバー装置付表示パネルを提供する。【解決手段】アコーディオン状カバー体１０２と、一対の案内レール１０１ａ、１０１ｂでカバー装置１０を構成する。携帯情報端末に対し、Ｘ方向に沿って一対の案内レール１０１ａ、１０１ｂを配設し、カバー体１０２をスライド自在に案内レール１０１ａ、１０１ｂに担持させる。不使用時にはカバー体１０２を展開し表示面を被覆する。使用時にはカバー体１０２をＸ方向にスライドして収縮し、表示面及び操作部を外部露出させる。【選択図】図２
2013011815.tif 000002
【特許請求の範囲】
【請求項１】
一主面に表示面が設けられた表示パネルの前記表示面を被覆するカバー装置であって、
伸縮自在に動き、かつ伸長した状態で前記表示面の少なくとも一部分を覆うカバー体と、
前記カバー体の一端側において前記表示パネルと止着する止着部とを備え、
前記カバー体を前記一端側から伸長して前記表示面を被覆する第一の状態と、
前記一端側とは反対方向から前記止着部に近づけて前記カバー体を収縮させる第二の状態とに切り替えられる
カバー装置。
【請求項２】
前記カバー体は、蛇腹構造をしたベローズ状体であり、
第一の状態においては、前記表示面上に展開され、
第二の状態においては、複数の折線において折り畳まれる
請求項１に記載のカバー装置。
【請求項３】
前記カバー体はブラインドカーテン状体であり、
複数のスラットと、各スラットを連結する連結糸とを備え、
第一の状態においては、前記各スラットが倒伏姿勢になって前記表示面を覆うように展開され、
第二の状態においては、各スラットが起立姿勢で間隔を縮め全体として収縮する
請求項１に記載のカバー装置。
【請求項４】
前記カバー体を前記表示パネルの表面の一の方向に案内する案内部材を有し、
当該案内部材は、
一対の案内レールと、該各案内レール上をスライド可能な滑動体とからなり、
前記案内レールの各々は、前記表示面に重ならないように、前記表示面を跨いで前記表示パネル上に配設され、
前記滑動体は、前記カバー体の周縁から突設する状態で前記カバー体に配されている
請求項１〜３のいずれかに記載のカバー装置。
【請求項５】
前記カバー体を前記表示パネルの表面の一の方向に案内する、一対の案内レールを有し、
前記カバー体は、その周縁で該各案内レール上をスライド可能に配されており、
前記案内レールの各々は、前記表示面に重ならないように、前記表示面を跨いで前記表示パネル上に配設されている
請求項１に記載のカバー装置。
【請求項６】
前記カバー体は、複数の板状部材で構成され、
第一の状態においては、前記各板状部材が前記一の方向に沿って並設されて前記表示面を覆い、
第二の状態においては、各板状部材が積層されて全体として収縮する
請求項４または５に記載のカバー装置。
【請求項７】
前記複数の板状部材は、前記伸長する際に隣接する前記板状部材同士間で互いに当接して係合する係合部を有し、
前記第二の状態から第一の状態への移行時において、各板状部材の前記係合状態が維持され、
前記第一の状態から第二の状態への移行時において、各板状部材の前記各係合部が離間して前記係合状態が解除される
請求項６に記載のカバー装置。
【請求項８】
前記カバー体は、前記第一の状態において前記表示面の一部を外部露出させるための窓部を有する
請求項１〜７のいずれかに記載するカバー装置。
【請求項９】
一主面に表示面が設けられた表示パネルに対し、請求項１〜７のいずれかに記載のカバー装置を備えた
カバー装置付表示パネル。
【請求項１０】
一主面に表示面が設けられた表示パネルに対して請求項１〜７のいずれかに記載のカバー装置が装着された状態で、前記表示パネル及び前記カバー装置とを収納するケース付カバー装置であって、
前記ケース付カバー装置は、互いに嵌合する第一ケース部材および第二ケース部材からなるケースを備え、
前記第一ケース部材は、前記第二の状態において前記表示パネルの前記表示面を外部露出させる開口部を有する
ケース付カバー装置。
【請求項１１】
請求項１０に記載の前記ケース付カバー装置に対し、表示パネルが収納されてなる、ケース及びカバー装置付表示パネル。
【請求項１２】
一主面に表示面が設けられた本体ユニットと、
前記表示面を保護するカバー装置と、
前記本体ユニットおよび前記カバー装置を収納するとともに、前記表示面を外部露出する開口部が形成された筐体とを有し、
前記カバー装置は、前記本体ユニット上に配置され、伸縮自在で、伸長した状態で前記表示面の一部以上を覆う被覆サイズのカバー体と、
前記カバー体の一端側を前記表示面を除く前記一主面の所定部位に止着する止着部とを備え、
前記カバー体を他端側から伸長状態にして前記表示面を被覆する第一の状態と、
前記他端側を前記一端側に近づけて前記カバー体を収縮させる第二の状態とに切り替え自在である
カバー装置付表示パネル。
【請求項１３】
前記カバー装置は、前記カバー体を前記表示パネルの表面の一の方向に案内する案内部材を有し、
当該案内部材は、一対の案内レールと、該各案内レール上をスライド可能な滑動体とからなり、
前記案内レールの各々は、前記表示面に重ならないように、前記表示面を跨いで前記本体ユニット上に配設され、
前記滑動体は、前記カバー体の周縁から突設する状態で前記カバー体に配されている
請求項１２に記載のカバー装置付表示パネル。
【請求項１４】
前記カバー装置は、前記カバー体を前記本体ユニットの表面の一の方向に案内する一対の案内レールを有し、
前記カバー体は、その周縁にて該各案内レール上をスライド可能に配されており、
前記案内レールの各々は、前記表示面に重ならないように、前記表示面を跨いで前記本体ユニット上に配設されている
請求項１２に記載のカバー装置付表示パネル。
【請求項１５】
前記カバー体は、複数の板状部材で構成され、
第一の状態においては、前記各板状部材が前記一の方向に沿って並設されて前記表示面を覆い、
第二の状態においては、各板状部材が積層されて全体として収縮する
請求項１３または１４に記載のカバー装置付表示パネル。
【発明の詳細な説明】
【技術分野】
【０００１】
本発明は表示パネルのディスプレイ部（表示面）に配設するカバー装置と、これを配設してなるカバー装置付表示パネルに関する。
【背景技術】
【０００２】
現在、小型電子機器として、オーディオビジュアル（ＡＶ）機器、携帯電話機、ポケットコンピュータ、電子ブック、インターネット情報検索が可能な携帯情報端末（ＰＤＡ）など、様々な画像表示デバイス（以下、単に「表示デバイス」と称する。）が開発されて普及している。
これらの表示デバイスの多くは、本来は据え置き型の電子機器を小型・携帯用途として発展させたものである。インターネット接続環境の普及と、記録媒体の小型・大容量化、さらには部品の小型化等に伴って多機能化が進んでいる。
【０００３】
とりわけ近年では、音楽や録音音声を聴くオーディオ機能と、動画や静止画を見るディスプレイ機能に対応した製品が非常に増えており、画像表示性能に優れる表示面を備える表示デバイスが急速に拡大している。代表的な表示デバイスとして、液晶ディスプレイ（ＬＣＤ）、有機ＥＬディスプレイ（ＯＥＬＤ）等のディスプレイ部を搭載した、いわゆる表示パネルが開発されている。
【０００４】
表示パネルはフルカラー表示も可能であり、ユーザーが情報を把握し易く便利な半面、ユーザーが携帯することで落下や衝撃、過度な押圧等によってディスプレイ部を破損しやすいという問題がある。特に最近では、ディスプレイ部を大型化し、画像表示性能を特に向上させた表示パネルが急速に製品化されており、このような大型のディスプレイ部を備える表示パネルを適切に保護することが求められている。
【０００５】
これに対し従来では、たとえば特許文献１の表示装置に示すように、表示装置の筐体にスライド式のカバーを配設する構成が提案されている。この構成では、不使用時にはディスプレイ部をカバーで被覆して保護し、使用時にはカバーを筐体表面の別のエリアにスライドして退避させ、ディスプレイ部を外部露出させる。
【先行技術文献】
【特許文献】
【０００６】
【特許文献１】特開２００６−３１３４８号公報
【発明の概要】
【発明が解決しようとする課題】
【０００７】
しかしながら、特許文献１等のカバーは、使用時にはディスプレイ部以外の筐体表面（退避エリア）にカバーをそのままスライドさせるため、予め筐体表面にカバーの面積以上のデッドスペースを退避エリアとして設けなければならない。このデッドスペースは構造上、画像表示や操作に寄与することができない。
ここでカバーのサイズは、保護対象のディスプレイ部の面積に比例して設定するため、ディスプレイ部の大型化に伴い、退避エリアも増大する。これにより、筐体表面において大面積の退避エリアを設ける必要がある。またカバーを退避させると、退避エリアに存在する操作ボタンの一部を被覆してしまうこともあり、一定操作ができなくなる問題も生じうる。
【０００８】
このようなデッドスペースの存在は、表示パネルの小型化を図る上でも大きな制約であり、ディスプレイ部の有効画面比率を向上させ、表示パネルの大画面化と携帯性の両立を図る観点において大きな問題となる。
本発明は以上の課題に鑑みてなされたものであって、不使用時には表示面を外部から適切に保護し、割れや傷の発生を防ぐとともに、使用時にはデッドスペースの発生を効率的に抑制し、有効画面比率の向上を期待できるカバー装置とこれを用いたカバー装置付表示パネルの提供を目的とする。
【課題を解決するための手段】
【０００９】
上記課題を解決するために、本発明の一態様は、一主面に表示面が設けられた表示パネルの前記表示面を被覆するカバー装置であって、伸縮自在に動き、かつ伸長した状態で前記表示面の少なくとも一部分を覆うカバー体と、前記カバー体の一端側において前記表示パネルと止着する止着部とを備え、前記カバー体を前記一端側から伸長して前記表示面を被覆する第一の状態と、前記一端側とは反対方向から前記止着部に近づけて前記カバー体を収縮させる第二の状態とに切り替えられる構成とする。
【発明の効果】
【００１０】
本発明のカバー装置によれば、第一の状態において、表示パネルの表示面は伸縮性のカバー体を伸長させることで被覆され、表示面が適切に保護される。これにより大型の表示面を備える表示デバイスを外に携帯しても、表示面が割れたり、外部との接触で傷付くのが効果的に防止される。
一方、第二の状態では、ユーザーの操作により前記カバー体を収縮させ、前記一主面における前記表示面以外の領域に退避させる。このように本発明では、パネル使用時には、表示面を露出させつつ、カバー体を収縮して退避させることで、退避エリアを極力小さくすることができる。これにより表示パネルの携帯性や操作性を損なうことなく、表示パネルの筐体の小型化に貢献できる。また、表示パネルに占めるディスプレイ面積も広く確保でき、有効画面比率を向上させ、大画面化にも寄与できる。
【００１１】
以上のように本発明によれば、表示パネルの携帯性と大画面とを両立しつつ、押圧や落下による表示面の割れや傷の発生を抑制することが可能である。
【図面の簡単な説明】
【００１２】
【図１】本発明の実施の形態１に係る、カバー装置付表示デバイス１の構成を概略的に示す斜視図である。
【図２】カバー装置１０周辺の構造を概略的に示す部分的組図および側面図である。
【図３】本発明の実施の形態２に係るカバー装置１０Ａ周辺の構造を概略的に示す図および側面図である。
【図４】本発明の実施の形態３に係るカバー装置１０Ｂ周辺の構造を概略的に示す斜視図である。
【図５】本発明の実施の形態４に係るカバー装置１０Ｃ周辺の構造を概略的に示す部分斜視組図である。
【図６】本発明の実施の形態４に係るカバー装置付表示デバイス１Ａの構成を概略的に示す斜視図である。
【図７】本発明の実施の形態５に係るカバー装置１０Ｄ周辺の構造を概略的に示す部分斜視組図である。
【図８】本発明の実施の形態５に係るカバー装置付表示デバイス１Ｂの構成を概略的に示す斜視図である。
【図９】本発明の実施の形態６に係るカバー装置付表示デバイス２の構成を概略的に示す斜視組図である。
【発明を実施するための形態】
【００１３】
以下に、本発明の実施の形態及び実施例を説明するが、当然ながら本発明はこれらの形式に限定されるものでなく、本発明の技術的範囲を逸脱しない範囲で適宜変更して実施することができる。
＜実施の形態１＞
（カバー装置付表示デバイス１の構成）
図１（ａ）は、本発明の一例である、カバー装置付表示デバイス１（以下、単に「表示デバイス１」と称する。）の概略構成を示す図である。表示デバイス１は、携帯情報端末２０と、当該携帯情報端末２０に配設されたカバー装置１０とで構成される。
【００１４】
携帯情報端末２０は、代表的な小型表示デバイスであるスマートフォンである。第一主面（オモテ面）２０１と第二主面（裏面）２０２を有する、扁平な薄型直方体状の筐体を持つ。第一主面２０１上には、液晶ディスプレイや有機ＥＬディスプレイからなる四角形状の大型のディスプレイ部（表示面２０３）と、操作部２０４、スピーカー部２００がそれぞれ配されている。第二主面２０２は全体を図示しないが、第一主面２０１と連続するように平滑な曲面で構成されている。
【００１５】
なお、本明細書で言う「表示パネル」とは、携帯情報端末２０のような薄型筐体を持つパネルを基本的に指すが、このような構成に限定するものではなく、ある程度Ｚ方向厚みを持つ直方体状、半円柱状、多角柱状等の表示デバイス全般を「表示パネル」に含むものとする。また、「直方体」も厳密な６面体である必要はなく、携帯情報端末２０のように第一主面２０１と第二主面２０２に挟まれた側面の幾つかが緩やかな形状であってもよい。
【００１６】
カバー装置１０は、Ｘ方向に延伸された案内部材（一対の案内レール１０１ａ、１０１ｂ）と、当該一対の案内レール１０１ａ、１０１ｂに跨って設けられたカバー体１０２、カバー体１０２の一端側に設けられた止着部１０２３とで構成される。尚、カバー装置１０は、少なくともカバ−体１０２と止着部１０２３を備えていれば良い。
案内レール１０１ａ、１０１ｂは、カバー体１０２を携帯情報端末２０の第一主面２０１の表面に沿って一方向（ここではＸ軸に沿った方向）に案内する案内部材であり、図２（ａ）に示すようにコの字型断面形状を有し、Ｙ軸方向に沿ってカバー体１０２に臨むように案内溝１０１０ａ、１０１０ｂが形成されている。
【００１７】
実施の形態１においては、カバー体１０２は、長尺状のカバー本体１０２１と、各谷折部１０２１ｂからＹ方向に突出して配されたスライド軸（滑動体）１０２１ｃ、カバー本体１０２１の長手方向一端側に設けられたツマミ１０２２、およびマグネット部１０２５で構成されている。スライド軸１０２１ｃとしては金属軸の他、公知のベアリンク軸やローラー軸を用いても良い。尚、カバ−体１０２は、少なくともカバ−本体１０２を備えていれば良い。
【００１８】
カバー本体１０２１は、複数の山折部１０２１ａおよび谷折部１０２１ｂを持つベローズ状体（ここではシート型のアコーディオン状体）であって、例えば柔軟性且つ機械的強度に優れるシート材料（綿などの天然繊維、ポリエステル等の合成繊維、或いは塩化ビニル系樹脂、ウレタン系樹脂等）で構成された帯状体である。材料はこれに限定されず、質感や操作性、審美性を考慮して、厚紙、和紙、革材料、ＰＥＴ樹脂の他、素材自体が伸縮性を有するゴム材料等も使用できる。
【００１９】
カバー本体１０２１は、使用時はそのベローズ状の形態を利用して第一主面２０１の表示面２０３の全体を覆って外部より保護するとともに、不使用時には収縮してコンパクトな形状となり、表示面２０３から退避させることができる。なお、カバー本体１０２１の素材に硬い材料を用いることで、表示面２０３の保護効果も高められるが、あまり硬いと伸縮が困難になるおそれもあるので留意する。
【００２０】
カバー体１０２の被覆サイズは、少なくとも表示面２０３の一部以上を覆う被覆サイズであればよいが、有効に表示面２０３を保護する観点ではできるだけ表示面２０３のサイズと等しいか、それより大きい被覆サイズとするのが好ましい。
なお、ここではカバー本体１０２１を一体的に構成しているが、これに限定されず、例えば複数の短冊部材を各々の山折部１０２１ａ及び谷折部１０２１ｂにおいてヒンジ等により連結して構成することも可能である。
【００２１】
カバー装置１０を配設する際は、携帯情報端末２０に対し、四角形状の表示面２０３のＸ方向に沿った一辺の外側と、前記一辺の対辺の外側を通る状態で、案内レール１０１ａ、１０１ｂを両面テープや接着剤等を用いて配設する。そして、案内レール１０１ａ、１０１ｂの間にカバー本体１０２１を介在させ、各ガイドピン１０２１ｃを各案内溝１０１０ａ、１０１０ｂの内部にスライド自在に担持させる。また、止着部１０２３を第一主面２０１の下方に両面テープや接着剤で固定する。
【００２２】
（表示デバイス１の効果について）
以上の構成を持つ表示デバイス１の様子を図１（ａ）、（ｂ）、および図２（ａ）（ｂ）（ｃ）を用いて説明する。
表示デバイス１の不使用時（第一の状態）には、図１（ｂ）、図２（ｂ）に示すように、ユーザーはカバー本体１０２１の長手方向一端側に設けられたツマミ１０２２を利用してカバー体１０２を指で逆Ｘ方向へ押し上げる。これによりカバー体１０２は、案内レール１０１ａ、１０１ｂに案内され、携帯情報端末２０の第一主面２０１表面に沿って逆Ｘ方向へスライドする。ユーザーはカバー体１０２を移動させ続け、表示面２０３を被覆する位置まで移動する。スライド量が最大になると、カバー体１０２の先端に設けられたマグネット部１０２５が、表示面２０３の上に配設されたマグネット部１０２４と吸着し、カバー体１０２が位置保持される。これによりカバー体１０２で完全に被覆された表示面２０３は、当該カバー体１０２によって外部からの衝撃や過度な押圧による割れや傷から適切に保護される（図２（ｂ））。
【００２３】
また、表示面２０３がタッチパネル型の場合、不使用時にカバー体１０２で被覆されることで、誤作動・誤入力の問題発生を防止することもできる。
また、カバー体１０２により、操作部２０４に対する誤作動・誤入力を防止する効果も期待できる。
一方、表示デバイス１の使用時（第二の状態）には、ユーザーは指でカバー体１０２をＸ方向へ押し下げ、表示面２０３を露出させる（図１（ａ））。このときカバー体１０２は、案内レール１０１ａ、１０１ｂに沿ってスムーズに案内され、Ｘ方向へスライドされる（図１（ａ）、図２（ｃ））。この際、カバー体１０２は、山折部１０２１ａ及び谷折部１０２１ｂにおいて折り畳まれて収縮し、第一の状態よりもコンパクトな形状で表示面２０３の下部領域に退避する。
【００２４】
このようにカバー体１０２は、使用時においては小さな面積で退避できるため、携帯情報端末２０の小型化や有効画面比率の向上を実現することが可能となる。
さらに、上記いずれの操作時においても、カバー体１０２は案内レール１０１ａ、１０１ｂに担持されたスライド軸１０２１ｃによりスムーズにスライドできるため、第一の状態および第二の状態の切り替えが非常に楽であり、ユーザーの片手による操作で自在に行える。また、上記カバー装置１０の操作中であっても、側面操作部２０５の操作性は妨げられないので、ユーザーは自由に側面操作部２０５を操作することができる。
【００２５】
このような諸効果は、スライド量が固定された硬質のカバーを配設する特許文献１等の従来技術には得られないものである。
なお、表示デバイス１におけるカバー装置１０は、独立して携帯情報端末２０に対して脱着可能な製品であり、携帯情報端末２０以外の様々な表示デバイスにも適用することが可能である。
【００２６】
なお上記例では、第二の状態でカバー体１０２を表示面２０３より完全に退避させるようにした。しかしながら、第一の状態ではカバー体１０２で表示面２０３を部分的に被覆し、第二の状態では前記表示面２０３の露出面積を前記第一の状態より小さくなる程度にカバー体１０２を退避させてもよい。このようにしても、前記表示面２０３に対する一定の保護効果を期待できる。但し、少なくとも操作性や表示特性、および表示面２０３の保護性能を損なわないようにする点に留意する。
＜実施の形態２＞
図３（ａ）は、実施の形態２に係るカバー装置１０Ａ周辺の構造を概略的に示す図である。カバー装置１０Ａは、カバー装置１０から一対の案内レール１０１ａ、１０１ｂとガイドピン（滑動体）１０２１ｃを省略した構成である。
【００２７】
このような構成を持つカバー装置１０Ａであっても、カバー体１０２Ａを操作して、カバー装置１０とほぼ同様の効果を期待することができる。すなわち、不使用時にはカバー体１０２を図１の携帯情報端末２０の表示面２０３に対して伸長して展開することで、表示面２０３を外部より適切に保護でき、押圧や落下による表示面の割れや傷の発生を抑制することが可能となる。
【００２８】
また、表示面（図示せず）がタッチパネル型の場合、不使用時にカバー体１０２Ａで被覆されることで、誤作動・誤入力の問題発生を防止することもできる。
また、カバー体１０２Ａにより、操作部（図示せず）に対する誤作動・誤入力を防止する効果も期待できる。
一方、使用時に、はカバー体１０２Ａを第一主面２０１上でコンパクトに収縮でき、過度のデッドスペースの発生を効果的に防止できる。
【００２９】
ここで側面図である図３（ｂ）に示すように、マグネット部１０２６を操作部２０４の下部（Ｘ方向下部）に設けておき、図３（ｃ）側面図のように、使用時に完全に収縮して退避状態となったカバー装置１０Ａのマグネット部１０２５と吸着させて、退避させたカバー体１０２Ａを固定させることも好適である。
なお、カバー体１０２Ａの折り畳み方向としては、図３（ｂ）のように表示面（第一主面）の平面と平行なＸ方向に限定されず、表示面（第一主面）の平面と垂直なＺ方向に折り畳むようにしてもよい。
【００３０】
実施の形態１、２では、カバー体１０２、１０２Ａを折り畳む構成としたが、カバー体１０２、１０２Ａを樹脂フィルムや布、繊維材料などの柔軟な素材でシート状に形成する場合は、使用時にロール状に巻き取って表示面から退避させることも可能である。
＜実施の形態３＞
続いて図４は、実施の形態３に係るカバー装置１０Ｂの概略構成を示す図である。
【００３１】
カバー装置１０Ｂはブラインドカーテン状カバー体１０２Ｂと、これを囲繞する枠体１０１ｆを備える。複数の短冊部材（スラット部１０２７）が一定間隔毎に配置され、互いに長手（Ｙ）方向両端付近に設けられた連結糸１０２８ａ、１０２８ｂで連結されている。伸長方向末端のスラット部１０２７ａにはツマミ１０２２およびマグネット部１０２５が配設される。
【００３２】
枠体１０１ｆは、ブラインドカーテン状カバー体１０２Ｂの伸縮を案内する役目をなし、帯情報端末２０の表示面２０３を囲繞するように両面テープや接着剤等を用いて配設される。各スラット部１０２７は、枠体１０１ｆの中に収納されている。
さらに図４のように、各スラット部１０２７と枠体１０１ｆには、それぞれ孔１０２７ｂ、１０１０ｃが２か所ずつ設けられており、当該孔１０２７ｂ、１０１０ｃに退避糸１０２９がＵ字状に挿通される。退避糸１０２９の両端は伸長方向末端のスラット部１０２７ａに固定されている。カバー装置１０Ｂにおいては、カバー体１０２Ｂを携帯情報端末２０側に止着する止着部として、退避糸１０２９および枠体１０１ｆとが機能する。
【００３３】
以上の構成により、使用時には退避糸１０２９を枠体１０１ｆから引き出すと、各スラット部１０２７、１０２７ａがＸ方向に引き寄せられ、起立姿勢で互いに間隔を縮め、全体として収縮される。これにより枠体１０１ｆの内部に開口領域が生じ、この開口領域を通して表示面２０が外部露出される。
一方、不使用時にはユーザーがツマミ１０２２を逆Ｘ方向にスライドさせると、各スラット部１０２７、１０２７ａが所定間隔毎に繰り出され、前記各スラット部１０２７、１０２７ａが倒伏姿勢になって前記表示面２０を被覆して保護することができる（図４では説明のためスラット部１０２７、１０２７ａを立てている）。また、スラット部１０２７、１０２７ａによる被覆によって、
外部からの衝撃や過度な押圧による割れや傷から適切に保護される。
【００３４】
また、表示面(図示せず)がタッチパネル型の場合、不使用時にカバー体１０２Ｂで被覆されることで、誤作動・誤入力の問題発生を防止することもできる。
また、カバー体１０２Ｂにより、操作部(図示せず)に対する誤作動・誤入力を防止する効果も期待できる。
なお、スラット部１０２７ａに配されたマグネット部１０２５は、表示面２０３の上部に設けられたマグネット部１０２４（図１（ａ）参照）と吸着することで、カバー体１０２Ｂの位置保持が良好になされる。
＜実施の形態４＞
次に図５は、実施の形態４に係るカバー装置１０Ｃ周辺の構造を概略的に示す部分斜視図である。
【００３５】
カバー装置１０Ｃは、一対の案内レール１０１ａ、１０１ｂおよび繰り出し式カバー体１０２Ｃとで構成される。
カバー体１０２Ｃは、一例として、一定の機械的強度を持つ樹脂材料（ポリカーボネートなど）を用いて形成された複数の板状部材１０２０ａ〜１０２０ｆからなる。図５に示すように、板状部材１０２０ａ〜１０２０ｆは同順に上から下へ互いに重ねられて配される。板状部材１０２０ａ〜１０２０ｆの長手（Ｙ）方向に沿った側面のうち一辺（ここでは逆Ｘ方向奥側の一辺）には、Ｚ方向へ延びる垂下部１０２８ａ〜１０２８ｆが立設される。垂下部１０２８ａの高さは全ての板状部材１０２０ａ〜１０２０ｆを重ねた合計厚み分に設定され、その他の垂下部１０２８ｂ〜１０２８ｆの高さは同順に各板状部材１０２０ａ〜１０２０ｆの厚み分だけ減少させている。これにより、最上層の板状部材１０２０ａがＸ方向にスライドすると、隣接する各板状部材１０２０ａ〜１０２０ｆの垂下部１０２８ａ〜１０２８ｆ同士が当接し、全ての板状部材１０２０ａ〜１０２０ｆがＸ方向にスライドする。垂下部１０２８ａ〜１０２８ｆからＹ方向両端には、外部に突出するようにガイドピン１０３１ａ〜１０３１ｆが設けられる。ガイドピン１０３１ａ〜１０３１ｆは板状部材１０２０ａ〜１０２０ｆと一体的に形成してもよい。
【００３６】
また板状部材１０２０ｂ〜１０２０ｆの垂下部１０２８ｂ〜１０２８ｆの真上には、Ｚ方向にリブ１０３０ｂ〜１０３０ｆが立設され、各板状部材が真下で隣接する板状部材のリブと各々係合することで、第一係合部が構成される。
さらに板状部材１０２０ｂ〜１０２０ｆの長手（Ｙ）方向に沿った側面のうち他辺（ここではＸ方向手前側の一辺）には、カバー体１０２Ｃの伸長時に前記リブ１０３０ｂ〜１０３０ｆと側面において当接して係合可能なツメ部１０２９ａ〜１０２９ｅが形成され、各々係合することで第二係合部が構成される。
【００３７】
一対の案内レール１０１ａ、１０１ｂは実施の形態１とほぼ同様であるが、ガイドピン１０３１ａ〜１０３１ｆが脱落しないように規制ピン１０１１ａ、１０１１ｂが配設されている。
以上の構成を持つカバー装置１０Ｃでは、繰り出し式カバー体１０２Ｃを、図６（ａ）一対の案内レール１０１ａ、１０１ｂを携帯情報端末２０の表示面２０３のＸ方向に沿った両側面に配設する。そして図５に示すように、各案内レール１０１ａ、１０１ｂの案内溝１０１０ａ、１０１０ｂに各板状部材１０２０ａ〜１０２０ｆのガイドピン１０３１ａ〜１０３１ｆを挿入して配設する。このようにカバー装置１０Ｃでは、案内レール１０１ａ、１０１ｂおよびガイドピン１０３１ａ〜１０３１ｆがカバー体１０２Ｃの止着部を兼ねている。
【００３８】
ここでカバー体１０２Ｃを携帯情報端末２０に配設してなる表示デバイス１Ａの使用前後の様子を図６（ａ）、（ｂ）に示す。
使用時には、図６（ａ）に示すように、ユーザーは板状部材１０２０ａのツマミ１０２２をＸ方向に操作する。これにより各板状部材１０２０ａ〜１０２０ｆは互いに積層された状態となり、一対の案内レール１０１ａ、１０１ｂに沿ってＸ方向にスライドし、表示面２０３より退避する。このときカバー体１０２Ｃではツメ部１０２９ａ〜１０２９ｅ及びリブ１０３０ｂ〜１０３０ｆが離間することで板状部材１０２０ａ〜１０２０ｆが係合状態を解除し、それぞれ独立してスライドし、全体として収縮しながら退避する。従ってユーザーは表示面２０３の露出に際して迅速な操作を行えるとともに、良好に操作部２０４を操作し、表示面２０３の表示内容を楽しむことができる。また、板状部材１０２０ａ〜１０２０ｆがコンパクトに重なってカバー体１０２Ｃの見掛け上の総面積が収縮するため、デッドスペースの面積を極力抑制でき、表示デバイス１Ａにおける有効画面比率の向上も図ることができる。
【００３９】
一方、不使用時には図６（ｂ）に示すように、ユーザーは板状部材１０２０ａのツマミ１０２２を逆Ｘ方向に操作する。これにより、各板状部材１０２０ａ〜１０２０ｆは互いにツメ部１０２９ａ〜１０２９ｅ及びリブ１０３０ｂ〜１０３０ｆが当接することで係合し、順次、逆Ｘ方向に繰り出される。カバー体１０２Ｃは伸長して面積が拡大し、最終的には表示面２０３の全体を被覆する。ツマミ１０２２の下に配されたマグネット部１０２５が表示面２０３の上部に設けられたマグネット部１０２４と吸着すると、カバー体１０２Ｃの位置決めがなされ、表示面２０３が良好に外部より保護されることとなる。ここで板状部材１０２０ａ〜１０２０ｆを一定の機械的強度を有する材料で構成することで、特に表示面２０３に対して優れた保護効果を期待できる。また、表示面２０３並びに操作部２０４の誤作動・誤入力も良好に防止できる。
【００４０】
なお、板状部材の枚数は６枚に限定されず、たとえば３枚程度であってもよい。
また、実施の形態３，４では複数の板状部材をツメ部及びリブで係合させた構成としたが、ツメ部及びリブは必須ではなく、各板状部材毎に独立してスライド自在に配することもできる。この場合、不使用時にカバー体を展開した際に板状部材間に隙間が生じることも考えられるが、展開された板状部材によって、表示面に対する保護効果を期待することができる。
＜実施の形態５＞
次に図７は、実施の形態５に係るカバー装置１０Ｄ周辺の構造を概略的に示す部分斜視組図である。カバー装置１０Ｄの基本的構造は１０Ｃと同じであり、板状部材１０３４ａ〜１０３４ｆからなるカバー体１０２Ｄが一対の案内レール１０１ｃ、１０１ｄでスライド自在に担持されている。一対の案内レール１０１ｃ、１０１ｄには、各板状部材１０３４ａ〜１０３４ｆごとに対応する案内溝１０１２ａ〜１０１７ａ、１０１２ｂ〜１０１７ｂを設けている。
【００４１】
ここで、各板状部材１０３４ａ〜１０３４ｆはガイドピンを用いず、各板状部材１０３４ａ〜１０３４ｆの長手（Ｙ）方向両端部の平面端部１０３２ａ〜１０３２ｆ、１０３３ａ〜１０３３ｆを各案内レールの案内溝１０１２ａ〜１０１７ａ、１０１２ｂ〜１０１７ｂに挿入し、スライド自在に担持される。これによりカバー体１０２Ｄは、一対の案内レール１０１ｃ、１０１ｄにより直接携帯情報端末側に止着される。
【００４２】
続いて図８（ａ）は、カバー装置１０Ｄを備える実施の形態５に係る表示デバイス１Ｂの構成を概略的に示す斜視図である。
表示デバイス１Ｂは、いわゆるタッチパネル型情報端末であり、薄型筐体２１の内部に収納された本体ユニット２１３の大型表示面２１４が、当該筐体２１の第一主面２１６における開口部２１５を通じ、外部露出している。筐体２１の内部において、表示面２１４のＸ方向に沿った一対の側面には、それぞれ案内レール１０１ｃ、１０１ｄ（１０１ｄは不図示）が配置されている。この案内レール１０１ｃ、１０１ｄの各案内溝１０１２ａ〜１０１７ａ、１０１２ｂ〜１０１７ｂに各板状部材１０３４ａ〜１０３４ｆがスライド自在に担持されている。
【００４３】
この構成においても、実施の形態４とほぼ同様の諸効果を期待できる。すなわち、使用時にはユーザーはツマミ１０２２を操作し、カバー体１０２ＤをＸ方向にスライドする。これにより各板状部材は垂下部にて互いに当接しつつ、迅速にＸ方向へ退避する。ユーザーは表示面２１４を介して効率よく操作したり、画像を閲覧したりできる。特に表示デバイス１Ｂでは、大型表示面２１４が操作部を兼ねているが、上記のようにカバー体１０２Ｄを良好に退避させることで、操作性の低下を効率よく抑制させることができる。
【００４４】
一方、不使用時にはユーザーはツマミ１０２２を操作し、カバー体１０２ＤをＸ方向に繰り出してスライドさせる。最終的に板状部材のマグネットは、開口部に設けられたマグネット部１０３５と吸着し、カバー体１０２Ｄが位置保持される。これにより大型表示面２１４を保護し、外部からの衝撃や過度な押圧による割れや傷から適切に保護される。
また、表示面２１４がタッチパネル型の場合、不使用時にカバー体１０２Ｄで被覆されることで、誤作動・誤入力の問題発生を防止することもできる。
【００４５】
また、カバー体１０２Ｄにより、操作部(図示せず)に対する誤作動・誤入力を防止する効果も期待できる。
なお、カバー装置１０Ｄの代わりにカバー装置１０Ｃを筐体２１の内部に設けても、表示デバイス１Ｂとほぼ同様の効果を期待できる。
＜実施の形態６＞
次に図９は、実施の形態６に係る、ケース入りカバー装置付表示デバイス２（表示デバイス２）の構成を概略的に示す斜視組図である。
【００４６】
表示デバイス２は、一対の皿状のケース部材（上部ケース３００および下部ケース３０４）からなる外装ケース３０の内部に、実施の形態１の携帯情報端末２０及びカバー装置１０を収納して構成される。
上部ケース（第一ケース部材）３００は、耐衝撃性に優れる樹脂材料、一例としてポリカーボネート（ＰＣ）材料で構成されている。外観的には携帯情報端末２０を収納できるように矩形主面を持つ皿状に形成され、表示面２０３を外部露出させる開口部３０１と、スピーカー部２００に合わせた位置に孔３０２とが形成されている。図示しないが、上部ケース３００の内側には携帯情報端末２０の位置決めリブが配される。さらに下部ケース３０４と対向する周縁部には、下部ケース３０４側と嵌合するためのリブ３０３が立設される。
【００４７】
下部ケース３０４（第二ケース部材）は、外観的には上部ケース３００と同様の皿状の形状を有する。携帯情報端末２０を収納する裏面３０８（紙面では上面）には、携帯情報端末２０を位置決めするとともに、カバー体１０２をＸ方向に沿って案内するためのリブ３０５ａ、３０５ｂ、３０６が立設されている。また、上部ケース３００と対向する周縁部には、上部ケース３００のリブ３０３と嵌合するための嵌合溝３０７が形成される。
【００４８】
なお第一ケース３００および第二ケース３０４には、それぞれ側面操作部２０５を露出させるための切り欠き部３０９ａ、３０９ｂが形成されている。
このような構成を持つ表示デバイス２の不使用時には、ユーザーはツマミ１０２２を操作し、カバー装置１０のカバー体１０２を逆Ｘ方向に引き上げる。これによりカバー体１０２は展開し、表示面２０３はカバー体１０２によって被覆され、外部から保護される。また表示面２０３、操作部２０４の誤作動・誤入力を防止できる。
【００４９】
一方、表示デバイス２の使用時には、ユーザーはツマミ１０２２を操作し、カバー体１０２をＸ方向に引き下げる。これに伴い、カバー体１０２は携帯情報端末２０の表面に沿って収縮し、表示面２０３から退避するので、開口部３０１を通じて表示面２０３が外部露出する。この状態でユーザーは表示デバイス２を良好に使用することができる。
＜その他の事項＞
実施の形態１〜５の表示デバイスにおいて、実施の形態６のようにカバー装置と携帯情報端末２０を収納する外装ケース３０を設けることもできる。
【００５０】
また、カバー体は、透明樹脂材料等や半透明材料を用いて構成できる。この場合、カバー体が表示面を被覆していても、表示面の画像を外部から視認できるので表示デバイスの状態把握が極めて容易であり、好適である。このような樹脂材料としては、例えば比較的薄く、機械的強度に優れるポリカーボネート材料等を例示できる。
また、カバー体１０２に１または２以上の開口部を設けても良い。この場合、表示面を被覆した際でも画面上に表示される着信履歴や時計表示等の情報を視認できるので望ましい。
【００５１】
上記各実施の形態では、カバー体をＸ方向に沿ってスライドさせる構成を例示したが、本発明はこれに限定されず、逆Ｘ方向にスライドさせる構成としても良い。また、カバー体をＹ方向に沿ってスライドさせる構成および逆Ｙ方向にスライドさせる構成としてもよい。
本発明の表示パネルは、携帯用の小型サイズに限定されず、いずれのサイズの表示パネルであってもよい。例えば据え置き型の大型表示デバイスであっても適用可能である。
【００５２】
カバー体が被覆する表示面は数学的に厳密な四角形状に限定されるものではなく、例えば四隅が丸くても良い。また、楕円形、円形のほか、多角形であってもよい。
また、カバー体は表示面以外の所定領域、たとえば操作部を覆うようにしてもよい。この場合、操作部をカバー体で覆うことで、誤作動や誤入力を防止する効果を期待できる。
なお、以上説明した本発明の実施の形態においては、カバー体１０２、１０２Ａ，１０２Ｂ、１０２Ｃ、１０２Ｄは、その先端に設けられたマグネット部、１０２５が、表示面２０３、２１４の上に配設されたマグネット部１０２４、１０２６と吸着し位置保持される例を示したが、特にこれに限るものではなく、適宜、位置保持可能な機構を適用すればよい。
【産業上の利用可能性】
【００５３】
本発明のカバー装置およびこれを用いた表示パネルは、既存のスマートフォンやＰＤＡ、オーディオビジュアル（ＡＶ）機器、携帯電話機、ポケットコンピュータ、さらには電子ブック等の各種小型表示デバイスに幅広く適用でき、その利用可能性は極めて高い。特に、大型の表示面を備える表示パネルへの適用に優れている。
【符号の説明】
【００５４】
１、１Ａ、１Ｂ、２    カバー装置付表示デバイス
１０、１０Ｂ、１０Ｃ、１０Ｄ    カバー装置
２０    携帯情報端末
３０    外装ケース
１０１ａ、１０１ｂ、１０１ｃ、１０１ｄ    案内レール
１０１ｆ    枠体
１０２、１０２Ａ、１０２Ｂ、１０２Ｃ、１０２Ｄ    カバー体
１０３ａ、１０３ｂ、１０４ａ、１０４ｂ    係合部
２００    スピーカー部
２０１、２１６    第一主面（オモテ面）
２０２    第二主面（裏面）
２０３、２１４    表示面
２０４    操作部
２０５    側面操作部
２１３    本体ユニット
２１５    開口部
３００    上部ケース（第一ケース部材）
３０１    開口部
３０２    孔
３０３    嵌合リブ
３０４    下部ケース（第二ケース部材）
３０５ａ、３０５ｂ、３０６    案内リブ
３０６    位置決めリブ
３０７    嵌合溝
３０８    裏面
３０９ａ、３０９ｂ    切り欠き部
１０１０ａ、１０１２ａ〜１０１７ａ、１０１０ｂ、１０１２ｂ〜１０１７ｂ    案内溝
１０１１ａ、１０１１ｂ    規制ピン
１０２０ａ〜１０２０ｆ、１０３４ａ〜１０３４ｆ    板状部材
１０２１    カバー本体
１０２１ａ    山折部
１０２１ｂ    谷折部
１０２１ｃ    スライド軸（滑動体）
１０２２  ツマミ
１０２３    止着部
１０２４、１０２５、１０２６    マグネット部
１０２７    スラット
１０２８ａ〜１０２８ｆ    垂下部
１０２９    退避糸
１０２９ａ〜１０２９ｅ    ツメ部
１０３０ｂ〜１０３０ｆ    リブ
１０３１ａ〜１０３１ｆ    ガイドピン（滑動体）
１０３２ａ〜１０３２ｆ、１０３３ａ〜１０３３ｆ    平面端部
【図１】
2013011815.tif 000003
【図２】
2013011815.tif 000004
【図３】
2013011815.tif 000005
【図４】
2013011815.tif 000006
【図５】
2013011815.tif 000007
【図６】
2013011815.tif 000008
【図７】
2013011815.tif 000009
【図８】
2013011815.tif 000010
【図９】
2013011815.tif 000011